(57)【要約】【課題】予めアイロン対象物を使用者が分類する必要がなく、また、使用者の勘違いやミスによって予期せずにアイロン対象物が混入することをなくす。アイロン対象物の耐熱温度以上の温度でアイロン掛けをしてアイロン対象物を駄目にしてしまうということも避ける。【解決手段】アイロン対象物１０に添付された無線ＩＣタグ１１の情報を読み取って耐熱温度の高いものから順に、あるいは、低いものから順に指示手段４にて指示していくようにしたので、アイロンの温度を下降、あるいは上昇させながらその時の温度に該当するアイロン対象物を指示していく。【選択図】図１
2006166954.tif 000002
【特許請求の範囲】
【請求項１】
アイロン対象物に添付され前記アイロン対象物の耐熱温度に関する情報を含む無線ＩＣタグから前記情報を読み取る読取手段と、前記アイロン対象物に接するベースと、前記ベースの加熱を行う加熱手段と、前記ベースの温度を測定する温度測定手段と、使用者にアイロン操作の指示をする指示手段と、前記無線ＩＣタグからの情報および前記ベースの温度を解析し、前記加熱手段と前記指示手段を制御する制御手段とを具備し、前記アイロン対象物に対して前記読取手段が前記無線ＩＣタグの情報を読み取り、前記制御手段が前記無線ＩＣタグからの情報に含まれた耐熱温度の高いアイロン対象物、あるいは、低いアイロン対象物から順に前記指示手段にて指示していくことを特徴とするアイロン。
【請求項２】
アイロン対象物に添付され前記アイロン対象物のＩＤ情報を含む無線ＩＣタグから前記情報を読み取る読取手段と、前記アイロン対象物に接するベースと、前記ベースの加熱を行う加熱手段と、前記ベースの温度を測定する温度測定手段と、使用者にアイロン操作の指示をする指示手段と、前記読取手段からの情報および前記ベースの温度を解析し、前記加熱手段と前記指示手段を制御する制御手段とを具備し、前記アイロン対象物に対して前記読取手段が無線ＩＣタグから前記ＩＤ情報を読み取りネットワーク経由で情報サーバに送信して、前記アイロン対象物の耐熱温度を含む第２の情報を取得した後、前記制御手段が前記第２の情報に含まれた耐熱温度の高いアイロン対象物、あるいは、低いアイロン対象物から順に前記指示手段にて指示していくことを特徴とするアイロン。
【請求項３】
無線タグの情報にアイロン対象物の素材に関する情報を含み、制御手段が具備したデータベースにより前記素材の耐熱温度を取得することを特徴とする請求項１記載のアイロン。
【請求項４】
情報サーバから取得した第２の情報にアイロン対象物の素材に関する情報を含み、制御手段が具備したデータベースにより前記素材の耐熱温度を取得することを特徴とする請求項２記載のアイロン。
【請求項５】
無線タグの情報にアイロン対象物の素材に関する情報を含み、制御手段が具備したデータベースにより前記素材がアイロンかけに適さないと判断した場合に、指示手段から警報を発することを特徴とする請求項１記載のアイロン。
【請求項６】
情報サーバから取得した第２の情報にアイロン対象物の素材に関する情報を含み、制御手段が具備したデータベースにより前記素材がアイロンかけに適さないと判断した場合に、指示手段から警報を発することを特徴とする請求項２記載のアイロン。
【請求項７】
請求項１〜６のいずれか記載のアイロンにおいて少なくともひとつの機能をコンピュータに実行させるためのプログラム。
【発明の詳細な説明】
【技術分野】
【０００１】
本発明は、無線ＩＣタグを利用したアイロンおよびそのプログラムに関するものである。
【背景技術】
【０００２】
無線ＩＣタグの家電分野への応用が検討されており、特許文献１のように無線情報タグ（無線ＩＣタグ）をアイロン掛け対象物に付してそのアイロン掛け対象物に応じたアイロン掛け制御を行い、更には使用者の好みまで反映させる方式が考案されている。
【特許文献１】特開２００４−１９５０６４号公報
【発明の開示】
【発明が解決しようとする課題】
【０００３】
しかしながら、アイロンの温度制御にはある程度の時間が掛かるので、異なる素材のアイロン対象物を混在させた場合、アイロン対象物に適した温度になるまで待つ必要がある。このため使用者は予めアイロン対象物を、その素材や耐熱温度によっていくつかのグループに分類し、それぞれのグループごとにアイロンの温度を切り替えながら、アイロン掛けをするということになる。
【０００４】
このような分類分けは面倒である上に、使用者の勘違いやミスによって、アイロン対象物の耐熱温度以上の温度でアイロン掛けをしてアイロン対象物を駄目にしてしまうということも起こる。運良く間違いに気づいてアイロンの温度を変更しようとした時には、希望する温度になるまで待たされる上に、省エネルギーの観点からも決して好ましいことではない。また、雨カッパ、ボディカバー、シートのようなアイロンかけに適さないものに間違ってアイロンかけをしてしまうということもありうる。
【課題を解決するための手段】
【０００５】
そこで、前記の課題を解決するために、アイロン対象物に添付され前記アイロン対象物の耐熱温度に関する情報を含む無線ＩＣタグから前記情報を読み取る読取手段と、前記アイロン対象物に接するベースと、前記ベースの加熱を行う加熱手段と、前記ベースの温度を測定する温度測定手段と、使用者にアイロン操作の指示をする指示手段と、前記無線ＩＣタグからの情報および前記ベースの温度を解析し、前記加熱手段と前記指示手段を制御する制御手段とを具備し、前記アイロン対象物に対して前記読取手段が無線ＩＣタグの情報を読み取り、前記制御手段が前記無線ＩＣタグからの情報に含まれた耐熱温度の高いアイロン対象物、あるいは、低いアイロン対象物から順に前記指示手段にて指示して使用者にアイロンをかけさせるようにした。
【発明の効果】
【０００６】
これにより、アイロンの温度を下降、あるいは上昇させながらその時の温度に該当するアイロン対象物を指示していくので、予めアイロン対象物を使用者が分類する必要はなく、また、使用者の無知、勘違い、ミスによって、予期しないアイロン対象物が混入することを回避できる。従って、アイロン対象物の耐熱温度以上の温度でアイロン掛けをしてアイロン対象物を駄目にしてしまうということも避けることが出来る。予期せぬアイロン対象物に使用者が気づいてから、一旦下げてしまった温度を再度上げるようなこともなくなるので無駄なエネルギー消費も回避できる。
【発明を実施するための最良の形態】
【０００７】
第１の発明は、アイロン対象物に添付され前記アイロン対象物の耐熱温度に関する情報を含む無線ＩＣタグから前記情報を読み取る読取手段と、前記アイロン対象物に接するベースと、前記ベースの加熱を行う加熱手段と、前記ベースの温度を測定する温度測定手段と、使用者にアイロン操作の指示をする指示手段と、前記無線ＩＣタグからの情報および前記ベースの温度を解析し、前記加熱手段と前記指示手段を制御する制御手段とを具備し、前記アイロン対象物に対して前記読取手段が無線ＩＣタグの情報を読み取り、前記制御手段が前記無線ＩＣタグからの情報に含まれた耐熱温度の高いアイロン対象物、あるいは、低いアイロン対象物から順に前記指示手段にて指示していくようにした。
【０００８】
これにより、アイロンの温度を下降、あるいは上昇させながらその時の温度に該当するアイロン対象物を使用者に対して指示していくので、予めアイロン対象物を使用者が分類する必要はなく、また、使用者の勘違いやミスによって、予期せずにアイロン対象物が混入することもないのでアイロン対象物の耐熱温度以上の温度でアイロン掛けをしてアイロン対象物を駄目にしてしまうということも避けることが出来る。予期せぬアイロン対象物に使用者が気づいてから、一旦下げてしまった温度を急遽上げるようなこともなくなるので無駄なエネルギー消費も回避できる。
【０００９】
第２の発明は、アイロン対象物に添付され前記アイロン対象物のＩＤ情報を含む無線ＩＣタグから前記情報を読み取る読取手段と、前記アイロン対象物に接するベースと、前記ベースの加熱を行う加熱手段と、前記ベースの温度を測定する温度測定手段と、使用者にアイロン操作の指示をする指示手段と、前記読取手段からの情報および前記ベースの温度を解析し、前記加熱手段と前記指示手段を制御する制御手段とを具備し、前記アイロン対象物に対して前記読取手段が無線ＩＣタグから前記ＩＤ情報を読み取りネットワーク経由で情報サーバに送信して、前記アイロン対象物の耐熱温度を含む第２の情報を取得した後、前記制御手段が前記第２の情報に含まれた耐熱温度の高いアイロン対象物、あるいは、低いアイロン対象物から順に前記指示手段にて指示していくようにした。
【００１０】
これにより、無線ＩＣタグの情報にアイロン対象物の耐熱温度に関する情報が含まれておらず、単なるコード番号のような情報しか含まれない場合でも、このコード番号を元にネットワーク上の情報サーバにアクセスして、アイロン対象物の耐熱温度を含む第２の情報を取得するので、第１の発明と同様の効果を得ることが出来る。
【００１１】
第３の発明は、特に第１の発明のアイロンにおいて、無線タグの情報にアイロン対象物の素材に関する情報を含み、制御手段が具備したデータベースにより前記素材の耐熱温度を取得するようにした。
【００１２】
これにより、無線ＩＣタグの情報にアイロン対象物の耐熱温度が含まれていなかった場合でも、素材に関する情報を元に、データベースから素材に対応する耐熱温度を取得することで、第１の発明と同様の効果を得ることが出来る。
【００１３】
第４の発明は、特に第２の発明のアイロンにおいて、情報サーバから取得した第２の情報にアイロン対象物の素材に関する情報を含み、制御手段が具備したデータベースにより前記素材の耐熱温度を取得するようにした。
【００１４】
これにより、無線ＩＣタグの情報にアイロン対象物の耐熱温度が含まれていなかった場合でも、素材に関する情報を元に、データベースから素材に対応する耐熱温度を取得することで、第１の発明と同様の効果を得ることが出来る。
【００１５】
第５の発明は、特に第１の発明のアイロンにおいて、無線タグの情報にアイロン対象物の素材に関する情報を含み、制御手段が具備したデータベースにより前記素材がアイロンかけに適さないと判断した場合に、指示手段から警報を発するようにした。これにより、雨カッパ、ボディカバー、シートのようなアイロンかけに適さないものにアイロンかけをしてしまうというトラブルを回避できる。
【００１６】
第６の発明は、特に第２の発明のアイロンにおいて、情報サーバから取得した第２の情報にアイロン対象物の素材に関する情報を含み、制御手段が具備したデータベースにより前記素材がアイロンかけに適さないと判断した場合に、指示手段から警報を発するようにした。これにより、雨カッパ、ボディカバー、シートのようなアイロンかけに適さないものにアイロンかけをしてしまうというトラブルを回避できる。
【００１７】
第７の発明は、第１〜６の発明のアイロンにおいて、少なくともひとつの機能をコンピュータに実行させるためのプログラムであり、ＣＰＵ、ＲＡＭ、ＲＯＭ、記憶装置、Ｉ／Ｏなどを備えた電気情報機器、コンピュータ等のハードリソースを協働させて本発明の一部あるいは全てをプログラムとして容易に実現することができる。また記録媒体に記録あるいは、通信回線を用いてプログラム配信することにより、プログラム配布が他の手段に比べて極めて簡単に実現できる。
【００１８】
以下、本発明の実施の形態について、図面を用いて一実施形態について詳細に説明する。なお、この実施の形態によって本発明が限定されるものではない。
【００１９】
（実施の形態１）
図１は本発明のアイロンの構成一例を示す図である。
【００２０】
アイロン１には、読取手段２、制御手段３、指示手段４、加熱手段５、温度測定手段６、ベース７を具備している。
【００２１】
アイロンかけを行う場合には、最初にすべてのアイロン対象物１０の無線ＩＣタグ１１から情報を読み取ることが望ましい。無線ＩＣタグ１１、および読取手段２には数メートル以上の距離まで対応した遠距離タイプと、数センチ〜１０数センチ程度の距離にしか対応していない近接型が存在するが、ここでは近接型を想定している。
【００２２】
アイロン対象物１０を一箇所に集めて、アイロン１に具備された読取手段２で順番に、あるいは一括で無線ＩＣタグ１１の情報を読み取る。一括で読み取れるのはすべての無線ＩＣタグ１１、および読取手段２が衝突検出に対応している場合である。衝突検出に対応していない場合は、アイロン対象物を１枚ごとにアイロンに具備された読取手段２に近づける必要がある。
【００２３】
なお、遠距離タイプを用いた場合は、アイロン対象物１０ではないものに添付された関係のない無線ＩＣタグの情報を読み取ってしまうことが想定されるので、こういったタイプは本用途には不向きである。
【００２４】
以上で述べたような手法で読取手段２はアイロン対象物１０に添付されたすべての無線ＩＣタグ１１の情報を読み取る。無線ＩＣタグ１１の情報には、その無線ＩＣタグが添付されているアイロン対象物に関する耐熱温度を含んでいる。なお、無線ＩＣタグ１１の情報に耐熱温度が含まれていない場合については実施の形態２で後ほど説明する。
【００２５】
制御手段３は、温度測定手段６から取得したベース７の温度と、無線ＩＣタグ１１から読み取ったアイロン対象物１０に関する耐熱温度を解析して、加熱手段５に対して加熱を続けるか、中止するかといった制御を行う。
【００２６】
つまり、制御手段３は温度測定手段６により取得したベース７の温度がアイロン対象物１０の耐熱温度より高かった場合は、ベース７の温度が耐熱温度まで下がるまで加熱手段５に対して加熱を中止するように指示する。逆に、制御手段３は温度測定手段６により取得したベース７の温度がアイロン対象物１０の耐熱温度より低かった場合は、ベース７の温度が耐熱温度に上がるまで加熱手段５に対して加熱をするように指示する。
【００２７】
耐熱温度に達した段階で、指示手段４により使用者に対して、アイロンを掛けるべきアイロン対象物を指示する。この時、同時にその時点のベースの温度を指示手段から示しても構わない。
【００２８】
もちろん、温度制御機能の備わっていないアイロンにおいて使用者が自分なりの方法で温度設定をすることもありうる。例えばアイロンに水をたらして蒸発具合でおおよその温度を推測する、あるいは顔を近づけて温度を推測するといった方法による温度推測は昔から行われている。また、一旦温度上昇させたアイロンを使っているうちに、次第に温度が下がってくるので、その都度、自分なりの方法で温度を推測し、アイロンに指示された温度順にアイロン対象物１０のアイロンを掛けるといったことでも構わない。あるいは、温度測定手段を備えていないが目安の温度に設定する温度設定手段を備えているアイロンであってもかまわない。使用者は指示手段からの指示に従ってアイロンかけを行い、都度、使用者によって温度設定を変更するようにしてもよい。
【００２９】
指示手段４からの指示は、音声や表示などによって行う。もちろん、耐熱温度に達する前の、これから温度を下げる（上げる）という時点で、暫く待機せよという指示をしても構わないし、指示するアイロン対象物１０の耐熱温度、名前、メーカ、素材などの情報があればそれも同時に示しても構わない。またアイロンとは別に指示手段を設けて、たとえばテレビなどの表示手段と接続して指示を行うようにしても良い。
【００３０】
ここで、無線ＩＣタグ１１から読み取った情報に、耐熱温度に関する情報が含まれておらず、アイロン対象物１０の素材に関する情報が含まれている場合には、素材に関する情報に基づき解析することが必要となる。
【００３１】
制御手段３の内部に素材情報から制御内容を解析するためのデータベース（図示せず）あるいは対応表を持っている。例えばタイツ、ブラウス、カットソー、ランジェリーに代表される化繊などのような熱に弱い素材のアイロン対象物１０では低温でアイロン掛けを行い、麻や綿のような素材に対しては高温でアイロン掛けを行うようにする。
【００３２】
また、雨カッパ、ボディカバー、シートのような全くアイロンかけに適さない素材に対しては、アイロンかけをしてはいけないということを指示手段４から示して、使用者に注意をうながすことも出来る。
【００３３】
なお、データベースあるいは対応表は制御手段３の内部に限定するものではなく、他の場所に存在しても構わない。
【００３４】
更に、これまでの説明では耐熱温度という表現をしてきたが、必ずしもこの表現に限定する必要はなく、アイロンかけに最適な温度ということでも構わない。
【００３５】
（実施の形態２）
図２は本発明のアイロンの構成一例を示す図である。
【００３６】
アイロン１には、読取手段２、制御手段３、指示手段４、加熱手段５、温度測定手段６、ベース７を具備していることは図１と同じであるが、図２においては読取手段２’がネットワーク２０を介して情報サーバ３０と通信するという機能が追加になっている。これは無線ＩＣタグの情報が実施の形態１で記述したような形式ではない場合を想定している。
【００３７】
すなわち、無線タグ１１が比較的価格の安い日常雑貨品のような靴下や下着などに添付される無線ＩＣタグである場合、無線ＩＣタグ１１は「読み出しのみ」で、しかも、例えば６４ビット長あるいは１２８ビット長といった単なるＩＤのようなコード番号だけであり、耐熱温度や素材に関する情報が一切含まれていないことが想定される。
【００３８】
このような場合には読取手段２’が情報サーバ３０からアイロン対象物１０の耐熱温度を含む第２の情報を取得する。もちろん、情報サーバ３０に相当する機能がアイロン１の内部に含まれていても構わないし、第２の情報の取得は必ずしも読取手段２’が行うものではなく、他の手段が取得しても構わない。
【００３９】
このようにして取得した第２の情報を解析し、その解析結果に応じて、実施の形態１で述べてきたようなアイロン１の制御を同様に行うことが出来る。
【００４０】
つまり、無線ＩＣタグ１１の情報が単なるコード番号のような場合には、そのコード番号だけでは不十分であり、読取手段２’はネットワーク２０を通じて情報サーバ３０にアクセスして、その無線ＩＣタグ１１が添付されているアイロン対象物１０の耐熱温度を含む第２の情報を取得した後に、その第２の情報を制御手段３に送信する。
【００４１】
このように、無線ＩＣタグ１１の情報の形態に関する差異を読取装置２’が解消することにより、無線ＩＣタグ１１の情報に関わりなく、制御手段３は常に同一の制御、つまり実施の形態１と同様の制御を行うことができる。
【００４２】
ただし、ネットワーク２０は家庭内のＬＡＮであって情報サーバ３０が自宅内にあっても構わないし、ネットワーク２０はインターネットのようなＷＡＮであって情報サーバ３０が服飾メーカなどによって運営されている外部のサーバであっても構わない。このように第２の情報取得にはいくつかの方法が考えられるが、外部のサーバにアクセスすることにより常に最新の情報が得られるという利点があるので、インターネットのようなＷＡＮ経由で外部の情報サーバ３０をアクセスすることが最も望ましい形態である。
【００４３】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバ等のハードリソースを協働させるプログラムの形態で実施してもよい。プログラムの形態であれば、磁気メディアや光メディアなどの記録媒体に記録、もしくはインターネットなどの通信回線を用いて配信することで新しい機能の配布・更新やそのインストール作業が簡単にできる。
【産業上の利用可能性】
【００４４】
以上のように、本発明にかかるアイロンおよびそのプログラムは、アイロン対象物に添付された無線ＩＣタグの情報を読み取って耐熱温度の高いものから順に、あるいは、低いものから順に前記指示手段にて指示していくようにして、アイロンの温度を下降、あるいは上昇させながらその時の温度に該当するアイロン対象物を指示していくので、予めアイロン対象物を使用者が分類する必要はなく、また、使用者の勘違いやミスによって、予期せずにアイロン対象物が混入することもないのでアイロン対象物の耐熱温度以上の温度でアイロン掛けをしてアイロン対象物を駄目にしてしまうということも避けることが出来る。
【図面の簡単な説明】
【００４５】
【図１】本発明の実施の形態１のアイロンの構成一例を示す図
【図２】本発明の実施の形態２のアイロンの構成一例を示す図
【符号の説明】
【００４６】
１  アイロン
２  読取手段
３  制御手段
４  指示手段
５  加熱手段
６  温度測定手段
７  ベース
１０  アイロン対象物
１１  無線ＩＣタグ
２０  ネットワーク
３０  情報サーバ
【図１】
2006166954.tif 000003
【図２】
2006166954.tif 000004